(57)【要約】【課題】圧縮機と、熱源側熱交換器と、熱源側ファンと、利用側熱交換器と、利用側ファンと、ケーシングとを備えた空気調和装置において、利用側の空気の通路と、圧縮機が、並列に配置されると、利用側の空気の通路が狭くなるという課題があった。【解決手段】空気調和装置（１）は、ケーシング（１０）の内部に、圧縮機（２）と、熱源側熱交換器（７）と、熱源側ファン（８）と、利用側熱交換器（４）と、利用側ファン（５）と、ケーシング（１０）とを配置している。ケーシング（１０）の内部には、利用側熱交換器（４）および利用側ファン（５）を通る空気の通路（Ａ）が形成されている。通路（Ａ）と圧縮機（２）が、高さ方向に分離して配置されている。【選択図】図２
2020063862.tif 000002
【特許請求の範囲】
【請求項１】
圧縮機（２）と、熱源側熱交換器（７）と、熱源側ファン（８）と、利用側熱交換器（４）と、利用側ファン（５）と、ケーシング（１０）とを備えた空気調和装置（１）であって、
前記圧縮機と、前記熱源側熱交換器と、前記熱源側ファンと、前記利用側熱交換器と、前記利用側ファンとは、前記ケーシングの内部に配置され、
前記ケーシングの内部には、
前記利用側熱交換器および前記利用側ファンを通る空気の通路（Ａ）
が形成され、
前記通路と前記圧縮機が、高さ方向に分離して配置されている、
空気調和装置。
【請求項２】
前記圧縮機は、前記通路の下に配置されている、
請求項１に記載の空気調和装置。
【請求項３】
前記圧縮機は、前記熱源側熱交換器よりも上に配置されている、
請求項１または２に記載の空気調和装置。
【発明の詳細な説明】
【技術分野】
【０００１】
圧縮機と、熱源側熱交換器と、熱源側ファンと、利用側熱交換器と、利用側ファンと、ケーシングとを備えた空気調和装置。
【背景技術】
【０００２】
屋外に配置され、ダクトを介して室内を空調する空気調和装置が提案されている（特許文献１（特開２００３−２１４６４８号公報））。
【発明の概要】
【発明が解決しようとする課題】
【０００３】
従来の屋外配置の空気調和装置においては、室内の空気を下方より取り込み、屋外の空気調和装置の本体において、熱交換を行い、上方のダクトより空気を室内に吹出していた。このような利用側の空気の流れと並列して、圧縮機が配置されていた。利用側の空気の流れと、圧縮機が並列に配置されているために、利用側の空気の流路が狭くなるという課題があった。
【課題を解決するための手段】
【０００４】
第１観点の空気調和装置は、圧縮機と、熱源側熱交換器と、熱源側ファンと、利用側熱交換器と、利用側ファンと、ケーシングとを備えている。圧縮機と、熱源側熱交換器と、熱源側ファンと、利用側熱交換器と、利用側ファンとは、ケーシングの内部に配置されている。ケーシングの内部には、利用側熱交換器および利用側ファンを通る空気の通路が形成されている。通路と圧縮機が、高さ方向に分離して配置されている。
【０００５】
第１観点の空気調和装置は、通路と圧縮機が、高さ方向に分離して配置されているので、利用側の空気の流路の幅が十分に確保される。
【０００６】
第２観点の空気調和装置は、第１観点の空気調和装置であって、圧縮機は、通路の下に配置されている。
【０００７】
第２観点の空気調和装置は、重量の大きい圧縮機が、下方に配置されているので、装置の安定性が高い。
【０００８】
第３観点の空気調和装置は、第１観点または第２観点の空気調和装置であって、圧縮機は、熱源側熱交換器の上に配置されている。
【０００９】
第３観点の空気調和装置は、熱源側の空気の流れと、圧縮機の周囲の空間が十分分離される。
【図面の簡単な説明】
【００１０】
【図１】第１実施形態の空気調和装置１の冷媒回路図である。
【図２】第１実施形態の空気調和装置１の概略側面図である。
【図３】第１実施形態の空気調和装置１の概略斜視図である
【発明を実施するための形態】
【００１１】
＜第１実施形態＞
（１）空気調和装置１の冷媒回路の構成
第１実施形態の空気調和装置１の冷媒回路を図１に、外観の側面図を図２に、外観の斜視図を図３に示す。本実施形態の空気調和装置１は、屋外に配置され、ヒートポンプを用いて、室内の暖房、冷房、除湿などを行う空気調和装置である。空気調和装置１は、冷房、または、除湿のみを行う冷房専用機であってもよい。空気調和装置１は、暖房のみを行う、暖房専用機であってもよい。空気調和装置１は、冷房、除湿に加えて、暖房を行う、空気調和装置であってもよい。
【００１２】
本実施形態の空気調和装置１は、図１に示すような冷媒回路全体を一つのケーシング１０の中に含む。空気調和装置１は、図１に示すように、圧縮機２、アキュムレータ９、四方切換弁３、利用側熱交換器４、膨張弁６、熱源側熱交換器７を備えている。これらの機器は、配管で接続され、冷媒は各機器を循環して、蒸気圧縮式の冷凍サイクルが行われる。空気調和装置１は、さらに、利用側熱交換器４、熱源側熱交換器７にそれぞれ空気を送る利用側ファン５、熱源側ファン８を備えている。つまり、本実施形態の利用側熱交換器４、熱源側熱交換器７は、ともに、冷媒と空気で熱交換を行う熱交換器である。
【００１３】
冷房、除湿の場合は、利用側熱交換器４、熱源側熱交換器７は、それぞれ冷凍サイクルの蒸発器、凝縮器として機能する。暖房の場合は、利用側熱交換器４、熱源側熱交換器７は、それぞれ凝縮器、蒸発器として機能する。冷房と暖房は、四方切換弁３の切換により冷媒の流れを変更することにより、行われる。空気調和装置１が冷房専用機である場合には、四方切換弁３は不要である。空気調和装置１が暖房専用機である場合には、デフロスト運転のために、四方切換弁３を備えていてもよい。
【００１４】
（２）空気調和装置１の各構成要素の配置と空気の流れについて
本実施形態の空気調和装置１は、図２、３に示すように、ケーシング１０の中に、利用側熱交換器４、利用側ファン５、圧縮機２、アキュムレータ９、熱源側熱交換器７、熱源側ファン８を備えている。なお、本明細書において、ケーシング１０と、その内部の機器を含めて室外ユニットと呼ぶこともある。室外ユニットは、戸外に配置される。
【００１５】
空気調和装置１は、さらに、室内ユニット２０と、吸込みダクト３１、吹出しダクト３２を備える。
【００１６】
室内ユニット２０は、室内５１に配置される。室内ユニット２０には、室内空気の吸込み口２１、吹出し口２２が形成されている。
【００１７】
吸込みダクト３１、吹出しダクト３２は、それぞれ、室内ユニット２０とケーシング１０を接続している。
【００１８】
ケーシング１０は、図３に示すように、天板１１、底板１５、四方の側板を有している。
【００１９】
ケーシングの内部には、上から順に、空間４１、４２、４３、４４が形成されている。
【００２０】
空間４１には、利用側熱交換器４が配置されている。空間４１に吸込みダクト３１が接続されている。また空間４１は、空間４１の下の空間４２と連通している。
【００２１】
空間４２には、利用側ファン５が配置されている。本実施形態においては、利用側ファン５は、シロッコファンである。空間４２には、吹出しダクト３２が接続されている。空間４２と、空間４２の下の空間４３は、仕切り板１３によって、仕切られている。
【００２２】
空間４３には、圧縮機２とアキュムレータ９が配置されている。空間４３は、空間４３の下の空間４４と、仕切り板１４によって、仕切られている。
【００２３】
空間４４には、熱源側熱交換器７と、熱源側ファン８が配置されている。本実施形態においては、熱源側ファン８は、プロペラファンである。熱源側ファン８は、プロペラファン以外の種類のファンであってもよい。例えば、熱源側ファン８は、クロスフローファンであってもよい。なお、熱源側ファン８がクロスフローファンである場合、空間４４のスペースの都合上、クロスフローファンの羽根車の回転軸が上下方向に延びるような姿勢で設置されることが好ましい。
【００２４】
ケーシング１０の側板には、熱源側熱交換器７側において、吸気用の開口が設けられている。また、ケーシング１０の側板は、熱源側ファン８側において、排気用の開口が設けられている。
【００２５】
室内５１の空気は、利用側ファン５の回転によって、室内ユニット２０の吸込み口２１より吸込まれ、吸込みダクト３１内の流路３１ａを経由して、ケーシング１０の中に入る。ケーシング１０の中で、利用側熱交換器４、利用側ファン５（通路Ａ）を通過し、吹出しダクト３２内の流路３２ａを経由し、吹出し口２２より、室内５１に吹出される。この間に、室内５１で吸込まれた空気は、利用側熱交換器４で、加熱または冷却される。
【００２６】
次に、熱源側の空気の流れについて説明する。熱源側ファン８が回転すると、熱源側熱交換器７の前面の空間４４に、室外５２より空気が取り込まれ、熱源側熱交換器７および、熱源側ファン８（空気の通路Ｂ）を経由して、室外５２へ吹出される。この間に空気は、熱源側熱交換器７より、加熱または冷却される。
【００２７】
つまり、本実施形態の空気調和装置１においては、空調運転中で、ファン５、８が空気の通路Ａ、Ｂを形成しているときであっても、通路Ａ、Ｂは、空間４１と４２、または、４４の内部でそれぞれ閉じており、空間４１および空間４２（通路Ａ）、空間４３、空間４４（通路Ｂ）の空気が入り混じることは基本的にない。
【００２８】
（３）特徴
（３−１）
本実施形態の空気調和装置１は、ケーシング１０の中に、利用側熱交換器４、利用側ファン、圧縮機２、熱源側熱交換器７、熱源側ファン８が配置されている。ケーシング１０は、室外５２に配置される。
【００２９】
利用側の空気は、室内５１より取り込まれ、利用側熱交換器４と、利用側ファン５（通路Ａ）を通過して、室内へ戻される。
【００３０】
本実施形態の空気調和装置１においては、このような利用側の空気の通路Ａと、圧縮機２が高さ方向に分離して配置されている。
【００３１】
本実施形態の空気調和装置１は、通路Ａと、圧縮機２が高さ方向に分離して配置されているために、圧縮機２が、利用側の通路Ａを狭くすることがない。したがって、利用側通路の幅を十分に確保しやすい。そこで、狭路が抵抗となって、風力が低下することがない。
【００３２】
また、通路Ａと、圧縮機２が高さ方向に分離して配置されているために、両者を熱的に分離しやすい。つまり、圧縮機の熱を通路Ａの空気に伝えにくくすることができる。
【００３３】
（３−２）
本実施形態の空気調和装置１においては、圧縮機２は、利用側の空気の通路Ａの下に配置されている。
【００３４】
本実施形態の空気調和装置１は、重量が大きく、且つ、振動する圧縮機２が、下方に配置されているので、装置全体の安定性が高い。
【００３５】
（３−３）
本実施形態の空気調和装置１は、圧縮機２は、熱源側熱交換器７の上に配置されている。
【００３６】
本実施形態の空気調和装置１は、熱源側熱交換器７、熱源側ファン８を通る空気の通路Ｂと、圧縮機２が十分に分離されているので、両者を熱的に遮断しやすい。
【００３７】
また、圧縮機２が、利用側の空気の通路Ａの下に配置されている場合には、圧縮機２を挟んで、上に利用側の空気の通路Ａ、下に熱源側空気の通路Ｂが形成される。したがって、圧縮機２を取り囲む空間４３が通路Ａ、Ｂを分離することになり、通路Ａ、Ｂを熱的に十分遮断できる。
【００３８】
（３−４）
本実施形態の空気調和装置１においては、吸込みダクト３１、吹出しダクト３２は、ともに、圧縮機２よりも上に配置されている。
【００３９】
このように配置することにより、結果的に、吸込みダクト３１、吹出しダクト３２は近い位置になり、ケーシング１０内での利用側空気の通路Ａを短くできる。通路Ａが短くなることにより、熱ロスや風力のロスを抑制できる。
【００４０】
（４）変形例
（４−１）変形例１Ａ
第１実施形態の空気調和装置１においては、圧縮機２は、熱源側熱交換器７の上に配置されていた。変形例１Ａでは、逆に、圧縮機２は、熱源側熱交換器７の下に配置されている。つまり、変形例１Ａでは、ケーシング１０の内部で、底板１５の上に、圧縮機２やアキュムレータ９を含む空間４３が配置され、その上に、熱源側熱交換器７、熱源側ファン８を含む空間４４が配置されている。その他の構成は、第１実施形態と同様である。
【００４１】
変形例１Ａの空気調和装置は、第１実施形態と同様に、圧縮機２と、利用側の空気の通路Ａが、高さ方向に分離されているので、圧縮機２が通路Ａを狭くすることも無く、両者の熱的な分離も容易である。
【００４２】
（４−２）変形例１Ｂ
第１実施形態の空気調和装置１においては、利用側熱交換器４は、利用側ファン５の上に配置されていた。変形例１Ｂの空気調和装置１においては、利用側熱交換器４は、利用側ファン５の下に配置されている。この場合も、利用側の空気の通路Ａは、圧縮機２の上に配置されており、第１実施形態と同様の作用効果が得られる。
【００４３】
また、第１実施形態、および、変形例１Ｂでは、利用側熱交換器４と、利用側ファン５は、上下に配置されていた。両者は、同等の高さに、並列に配置されていても良い。この場合も、利用側の空気の通路Ａと圧縮機２が、高さ方向に分離して配置されていれば、第１実施形態と同等の作用効果が得られる。
【００４４】
以上、本開示の実施形態を説明したが、特許請求の範囲に記載された本開示の趣旨及び範囲から逸脱することなく、形態や詳細の多様な変更が可能なことが理解されるであろう。
【符号の説明】
【００４５】
１          空気調和装置
２          圧縮機
３          四方切換弁
４          利用側熱交換器
５          利用側ファン
６          膨張弁
７          熱源側熱交換器
８          熱源側ファン
９          アキュムレータ
１０        ケーシング
２０        室内ユニット
３１        吸入ダクト
３２        吹出しダクト
【先行技術文献】
【特許文献】
【００４６】
【特許文献１】特開２００３−２１４６４８号公報
【図１】
2020063862.tif 000003
【図２】
2020063862.tif 000004
【図３】
2020063862.tif 000005